(57)【要約】      （修正有）【課題】体に障害があり寝たっきりの人や体の自由が著しく困難な人などが、遠隔操作の出来る送受信機を用いて、照明のＯＮ．ＯＦＦが出来る機能をもち情報機構を備えた事で体の不自由を支援する効果を発揮する。【解決手段】家庭用耐震補助電源装置の中に三路回路２を設け、外部スイッチ１に送信機６と受信機５を用いて交流電源照明９を点灯したり消したり操作が出来る。また、単独でも外部スイッチ１と送受信機でも交流電源照明９を点灯したり消したりが出来る形を構成されており外部スイッチ１と受信機５のスイッチが二つ有る事で機能的に有効であり、災害発生後の情報源としてラジオ７で情報収集と、いま自分がどの様な常況におかれているかを把握し、安全に避難が出来るかをラジオ７で知る事が出来る事を特徴としている。【選択図】図１
0003118102.tif 000002
【実用新案登録請求の範囲】
【請求項１】
離れた所から交流電源照明を、送受信機と三路回路を持つ構造を有する赤外線スイッチで、遠隔操作が出来る機構を設けた家庭用耐震補助電源装置。
【請求項２】
情報機構となるラジオと回路を備えた請求項１記載の家庭用耐震補助電源装置。
【考案の詳細な説明】
【技術分野】
【０００１】本考案は離れた所から一般家庭に用いる交流電源照明を、送受信機を用いて遠隔操作で点灯する為の装置並びに該装置に用いる情報機構を備えた装置に関する。
【背景技術】
【０００２】従来の家庭用耐震補助電源システムにおいては、地震や停電時に照明を非常灯に変える事が出来る装置である。（例えば特公２００２−１５４７３９号公報参照）。【０００３】また、現在取り付けてある交流電源照明を地震や災害時の時、避難が困難にならないよう震動や非常電源で点灯させる装置になっているが、離れた所から送受信機と三路回路を持つスイッチで遠隔操作を用いて交流電源照明を制御ができる手段に欠けていた。
【考案が解決しょうとする課題】
【０００４】従来の非常灯にあっては停電のみ非常装置が働き、明かりだけの非常電源であり情報機構が付いていない為、安全な非難が素早く出来ない問題点があった。
【０００５】本考案はこのような従来の構成が有していた問題を解決しょうとするものであり、家庭用耐震補助電源装置は新たな組み合わせにより二つのスイッチを設けいかなる災害にも対応出来、送受信機と三路回路とスイッチを設ける事で、交流電源照明を遠隔操作と情報機構で安全な非難を実現する事を目的とするものである。
【０００６】また  災害発生後の情報源としてラジオで情報収集といま自分がどのような状況におかれているかを把握し、安全に非難が出来るかをラジオで知ることが出来る。
【課題を解決するための手段】
【０００７】本考案は上記目的を達成するために、離れた所から送受信機と三路回路とスイッチで交流電源照明を遠隔操作が出来る機構を備えて、情報機構となるラジオと回路で災害時での安全な非難が素早く出来る事を構成としたものである。
【０００８】また  該装置の外部スイッチは健常者が用い、体に障害があり寝たっきりの人また体の自由が著しく困難な人など、遠隔操作が出来る送受信機を用いて照明のＯＮ．ＯＦＦが手元で出来る機能を用いて、体の不自由を支援する効果を発揮する。
【考案を実施するための最良の形態】
【０００９】本考案の実施の形態について図面を参考して説明すると、図２において家庭用耐震補助電源装置の中に三路回路２を設け、外部スイッチ１に送信機６と受信機５を用いて交流電源照明９を点灯したり消したり操作が出来る、また単独で外部スイッチ１と送受信機でも交流電源照明９を点灯したり消したりが出来る事で、外部スイッチ１と受信機５のスイッチが二つ有る事で機能的に有効である。【００１０】図３に示される実施例ではＡＣ１００Ｖ１７の片側の配線をＡ支点１１に接続して、Ｃ接点１３に電気が流れリレ−スイッチ２３のＦ接点１６に継続してＤ支点１４から照明１９の片側の配線に接続され、再びＡＣ１００Ｖ１７のもう一つの配線につながる事で、照明１９が点灯する、また外部スイッチ２２のＡ支点１１からＢ接点１２にスイッチを切り替える事で照明１９を消す事が出来る。【００１１】三路スイッチの特徴は必ず支点を軸にどちらかの接点が接触している事で電気の流れを替えることが出来、リレ−スイッチ２３は送受信機で制御されＤＣ１２Ｖ１８で受信機５のリレ−スイッチ２３を用いて、送信機２１の赤外線で遠隔操作が可能である。【００１２】図４に示される実施例では地震の震動でリレ−スイッチ８が働きラジオ７の電源が入り音声で情報を手に入れられ、また該装置はＤＣ１２Ｖ１０が電源で有り手動式と自動式に切り替えが出来るスイッチ２０を装置の外側に設けてあり停電になってもいかなる災害時でも情報を提供が出来る事を目的としている。
【考案の効果】
【００１３】本考案は以上説明したような構成されているので、以下に記載されるような効果を奏する。
【００１４】三路スイッチと送受信機を用いて遠隔操作が容易になる事で、一般の交流照明を災害時に非常照明になり、非常電源を用いて新しく設けた該装置が目的を達成するために構成されたものであり、障害者や高齢者の安全な避難が出来ることを支援する効果がある。
【００１５】さらに情報機構を備える事で、地震後の津波情報や災害後が大事であり避難が生死を分ける事にも成りかねないほど情報は大事である、その情報機構が備えてある事で安全に避難を実現する事を目的とするものである。
【００１６】そして三路回路と送受信機と情報機構を備えている事で、該装置の機能が格段と有効に働き、災害時や災害後での安全が飛躍的に効果を発揮するものである。
【図面の簡単な説明】
【図１】家庭用耐震補助電源装置の実施例を示す回路図である。
【図２】送受信機と三路回路スイッチで遠隔操作が出来る装置を備えた実施例を示す図面である。
【図３】三路回路の実施例を示す回路図である。
【図４】情報機構となるラジオ回路の実施例を示す図面である。
【符号の説明】
１．２２  外部スイッチ
２．三路回路
３．１７  ＡＣ１００Ｖ
４．１０．１８  ＤＣ１２Ｖ
５  受信機
６．２１  送信機
７  ラジオ
８．２３  リレ−スイッチ
９．１９  照明
１１  Ａ支点
１２  Ｂ接点
１３  Ｃ接点
１４  Ｄ支点
１５  Ｅ接点
１６  Ｆ接点
２０  切り替えスイッチ
【図１】
0003118102.tif 000003
【図２】
0003118102.tif 000004
【図３】
0003118102.tif 000005
【図４】
0003118102.tif 000006
【手続補正書】
【提出日】平成17年8月3日(2005.8.3)
【手続補正１】
【補正対象書類名】実用新案登録請求の範囲
【補正対象項目名】全文
【補正方法】変更
【補正の内容】
【実用新案登録請求の範囲】
【請求項１】
赤外線スイッチを持つ送受信機と該装置に用いた三路回路スイッチで交流電源照明を遠隔操作と災害時に非常照明になる機構を備えた家庭用耐震補助電源装置。
【請求項２】
情報機構となるラジオと震動リレーで電源が入り音声で情報を手に入れられる回路を備えた請求項１記載の家庭用耐震補助電源装置。
【手続補正書】
【提出日】平成17年10月3日(2005.10.3)
【手続補正１】
【補正対象書類名】実用新案登録請求の範囲
【補正対象項目名】全文
【補正方法】変更
【補正の内容】
【実用新案登録請求の範囲】
【請求項１】
赤外線スイッチを持つ送受信機と三路回路スイッチを設け、交流電源照明を遠隔操作できる構成として災害時に非常照明になる機構を備えた家庭用耐震補助電源装置。
【請求項２】
情報機構となるラジオと震動リレ−で電源が入り音声で情報を手に入れられる回路を備えた請求項１記載の家庭用耐震補助電源装置。